(57)【要約】      （修正有）【課題】軽量型で、巻き上げ可能であり、通風性、防風性を有し、取付および取外しを迅速に行うことができ、また、体積が小さくて運びやすく、製造費が少なく、吊り下げが便利なＬＥＤフレキシブル吊り下げディスプレイを提供する。【解決手段】ＬＥＤフレキシブル吊り下げディスプレイは、いくつかの分散したＬＥＤモジュール１およびフレキシブルネット２を含む。ＬＥＤモジュール１は、マトリクス方式で配列し、フレキシブルネット２上に固定され、隣接するＬＥＤモジュール１は横方向、縦方向とも等間隔である。元の固定された剛性筐体の構造に相対して、更に通風性を有し、強風に対応することができる。ＬＥＤモジュールの分散構造は、ネット上に固定するのに便利であり、固定速度が速い。個別のモジュールが使用するときに破損した場合、容易に補修、交換を行うことができる。【選択図】図１
0003192484.tif 000002
【実用新案登録請求の範囲】
【請求項１】
いくつかの分散したＬＥＤモジュールおよびフレキシブルネットを含む、ＬＥＤフレキシブル吊り下げディスプレイであって、前記ＬＥＤモジュールがマトリクス方式で配列し、前記フレキシブルネットに固定され、隣接するＬＥＤモジュールが横方向、縦方向とも等間隔であることを特徴とする、ＬＥＤフレキシブル吊り下げディスプレイ。
【請求項２】
前記ＬＥＤモジュールが、制御チップおよび当該制御チップと接続する複数のＬＥＤ発光体を含むことを特徴とする、請求項１に記載のＬＥＤフレキシブル吊り下げディスプレイ。
【請求項３】
プログラム制御装置および外付け電源を更に含み、当該外付け電源が、プログラム制御装置、ＬＥＤモジュールとそれぞれ接続し、プログラム制御装置がＬＥＤモジュールと接続することを特徴とする、請求項１に記載のＬＥＤフレキシブル吊り下げディスプレイ。
【請求項４】
前記フレキシブルネットの材料が難燃プラスチックであることを特徴とする、請求項１に記載のＬＥＤフレキシブル吊り下げディスプレイ。
【考案の詳細な説明】
【技術分野】
【０００１】
本考案は発光ダイオード（ＬＥＤ）ディスプレイに関し、特にフレキシブルで、巻き上げ可能であり、網状で、吊り下げが便利であるＬＥＤディスプレイに関する。
【背景技術】
【０００２】
現在、発光ダイオードＬＥＤは照明および表示分野ですでに幅広く応用されており、表示分野への応用では、ＬＥＤマトリクスモジュールを利用して各種のディスプレイが製造されている。これらのディスプレイは、各種動的変換する文字、図案、動画および画像を表示、放映することができ、様々な情報を効果的に伝える。
【０００３】
現在のＬＥＤディスプレイの多くは剛性の固定構造であり、製造するときは、通常、先に剛性の固定筐体を製造してから、ＬＥＤマトリクスの回路基板および制御回路を筐体内に固定する。ＬＥＤマトリクスの回路基板は、通常、剛性材料で製造され、このように製造されたディスプレイはある地点に固定することしかできず、体積は膨大で、重量は重く、運ぶのに大変不便であり、巻き上げるのはより不可能である。現場で取付、調整する時間は長く、専門の人員が操作する必要があり、剛性ディスプレイの製造、取付コストは非常に高く、ある固定された場所での使用に制限される。短時間の表示、放映を必要とする場所には、普通の剛性ディスプレイは明らかに非常に不適当である。
【考案の概要】
【考案が解決しようとする課題】
【０００４】
既存技術の欠点に対して、本考案の目的は軽量型で、巻き上げ可能であり、通風性、防風性を有し、取付および取外しを迅速に行うことができ、また、体積が小さくて運びやすく、製造費が少なく、吊り下げが便利なＬＥＤフレキシブルネット状のＬＥＤディスプレイを提供することである。
【課題を解決するための手段】
【０００５】
上記目的を実現するため、本考案の技術案は次の通りである。ＬＥＤフレキシブル吊り下げディスプレイは、いくつかの分散したＬＥＤモジュールおよびフレキシブルネットを含む。前述したＬＥＤモジュールはマトリクス方式で配列し、前記フレキシブルネット上に固定され、隣接するＬＥＤモジュールは横方向、縦方向とも等間隔である。ＬＥＤ分散モジュールがネット上で配列した全体の図形は矩形でよく、その他の異形でもよい。ＬＥＤモジュールはＲＧＢフルカラーモジュールでよく、単色モジュールでもよい。
【０００６】
前記ＬＥＤモジュールは、制御チップおよび当該制御チップと接続する複数のＬＥＤ発光体を含む。
【０００７】
ＬＥＤフレキシブル吊り下げディスプレイは、プログラム制御装置および外付け電源をさらに含む。当該外付け電源は、プログラム制御装置、ＬＥＤモジュールとそれぞれ接続し、プログラム制御装置はＬＥＤモジュールと接続する。
【０００８】
前記フレキシブルネットの材料は、難燃プラスチックである。
【考案の効果】
【０００９】
既存技術の剛性の固定筐体と比較して、本考案は分散したＬＥＤモジュールを重量が軽いフレキシブルプラスチックネット上に固定する。このような製造は予め工場で製造を終了しており、使用する現場で仕上げをする必要はない。当該ネットは難燃プラスチックで製造され、重量は軽く、かつ巻き上げることができ、輸送および保管に便利である。網状構造を広げた後、上面に固定されたモジュールは変形しておらず、現場で取り付けるとき、ネット状物を建築物の外側に吊り下げるだけでよく、普通、専門でない人が操作を行うことができる。これはディスプレイの使用範囲を大幅に拡張し、特に一時的な屋外広告および屋外照明による装飾場所に適している。ネット状構造は元の固定された剛性筐体の構造に相対して、更に通風性を有し、強風に対応することができる。ＬＥＤモジュールの分散構造は、ネット上に固定するのに便利であり、固定速度が速い。個別のモジュールが使用するときに破損した場合、容易に補修、交換を行うことができ、これを用いて製造したディスプレイはコストが比較的低い。本考案は、特に休祝日の祝典、商業上の販売促進など一時的な場所での動的表示に適用される。
【図面の簡単な説明】
【００１０】
以下に附図を組み合わせ、本考案についてさらに詳細な説明を行う。
【００１１】
【図１】図１は、本考案の構造概要図である。
【考案を実施するための形態】
【実施例】
【００１２】
図１を参照されたい。本実施例のフレキシブルＬＥＤディスプレイは、ＬＥＤ分散マトリクスモジュール１、フレキシブルプラスチックネット２、バインド固定部品３、接続電線（電源コードおよび制御コード）４、外付け電源５、プログラム制御装置６を含む。
【００１３】
ＬＥＤ分散マトリクスモジュール１は、一定の形状（矩形またはその他の異形）に基づき、マトリクス配列でバインド固定部品３によりフレキシブルプラスチックネット２上に固定され、それぞれの隣接するＬＥＤ分散モジュールは縦方向、横方向とも等間隔である。非常に多くのＬＥＤ分散モジュール１が組み合わさって形成されるディスプレイは、矩形ディスプレイでも、その他の形状の異形ディスプレイでもよい。ＬＥＤ分散モジュール１はプラスチックシェル、ダイオード発光セット、制御チップ、コンデンサ、抵抗、コロイド射出成形により形成される混合体である。
【００１４】
フレキシブルプラスチックネット上にバインド固定された非常に多くのＬＥＤ分散モジュール１は、複数本の接続電線４（電源コードおよび制御コード）により電気的接続が形成される。このうち、電源コードは発光に必要な電気エネルギーを提供し、制御コードはＬＥＤモジュールの変化信号を提供する。
【００１５】
フレキシブルプラスチックネット２は難燃プラスチックで製造され、防火、非電気伝導性であり、安全性能が高い。これは一定の柔軟性を有し、さらに一定の強靭性および強度を有し、なおかつ重量は軽い。つまり輸送および保管するときに、巻き上げて体積を縮小させることができ、使用するときは、簡単に広げてＬＥＤモジュールで構成されるマトリクス図案を表示することができる。ネットの強度は高く、強靭性が良好で、破れたり変形したりしにくいことを保証する。
【００１６】
使用するとき、ＬＥＤマトリクスモジュールを同時に電源およびプログラム制御装置に接続する。フレキシブルネット上にバインド固定されたマトリクスモジュールは、プログラム制御装置６が送信する各種の様々な信号に基づいて、各種の様々な変化図案を表示することができる。
【００１７】
ＬＥＤ分散マトリクスモジュールは、１つ１つ単独で分散してネット上に固定される。これによりＬＥＤモジュールおよびフレキシブルプラスチックネットで構成される混合体は、巻き上げることができ、それによって、輸送、保管するとき体積がより小さくなり、使用するときはネットを広げて吊り下げるだけでよい。
【００１８】
本ディスプレイの特殊な構造により、工場での集中的、迅速な製造（バインド固定、配線）を容易に実現する。現場で気軽に吊り下げて使用し、さらに取外しを行い、輸送過程が便利で破損しにくい。
【００１９】
本考案は具体的実施例を参照して説明したが、この種の説明は本考案を制限することを意味していない。本考案の説明を参照し、開示された実施例のその他の変化は、当業者にとって予測可能なものである。したがって、このような変化は実用新案登録請求に限定される範囲および主旨から逸脱するべきではない。
【図１】
0003192484.tif 000003